(57)【特許請求の範囲】
【請求項１】
潤滑油基油に、イミド化合物と、アミド化合物と、脂肪族アミン化合物とを配合した潤滑油組成物であって、
前記イミド化合物は、数平均分子量５００〜３０００のアルキル基またはアルケニル基を側鎖に有するコハク酸イミドであり、
前記アミド化合物は、炭素数８〜３０の飽和または不飽和の直鎖もしくは分岐脂肪酸と、アルキルアミン、アルカノールアミンおよびこれらの混合物のモノアミン、或いは、分子中に複数のアミノ基を有するポリアミンとを縮合させて得られる脂肪酸アミドであり、
前記脂肪族アミン化合物は、オレイルアミン、ステアリルアミン、イソステアリルアミン、混合脂肪酸アミン、および牛脂プロピレンジアミンからなる群から選択される少なくともいずれかであり、
前記イミド化合物の配合量が、組成物全量基準かつ窒素換算量で３００〜１０００質量ｐｐｍであり、
前記アミド化合物の配合量が、組成物全量基準かつ窒素換算量で３８０〜１３００質量ｐｐｍであり、
前記脂肪族アミン化合物の配合量が、組成物全量基準かつ窒素換算量で３５〜３６０質量ｐｐｍであり、
前記イミド化合物、アミド化合物および脂肪族アミン化合物の配合量が、組成物全量基準かつ窒素換算量で１０００〜２０００質量ｐｐｍであることを特徴とする潤滑油組成物。
【請求項２】
請求項１に記載の潤滑油組成物において、
前記イミド化合物がコハク酸イミド化合物であることを特徴とする潤滑油組成物。
【請求項３】
請求項１または請求項２に記載の潤滑油組成物が多段変速機用または無段変速機用であることを特徴とする潤滑油組成物。
【請求項４】
請求項３に記載の潤滑油組成物であって、
前記無段変速機は、金属ベルトを用いたベルト式無段変速機であることを特徴とする無段変速機用潤滑油組成物。
【発明の詳細な説明】
【技術分野】
【０００１】
本発明は、多段変速機や無段変速機等の自動変速機に用いられる潤滑油組成物に関する。
【背景技術】
【０００２】
多段変速機や無段変速機等の自動変速機に用いられる潤滑油には高い動力（トルク）伝達容量が求められる。それ故、動力伝達容量が大きく良好に動力を伝達できる各種組成の自動変速機用の潤滑油組成物が知られている（例えば、特許文献１および特許文献２参照）。
特許文献１に記載の潤滑油組成物は、耐摩耗性および極圧性に優れ、摩擦係数を長時間高く維持でき、大容量のトルクを伝達すべく、潤滑油基油に対して、硫黄系極圧剤と、リン系極圧剤と、アルカリ土類金属系清浄剤とを配合した構成が採られている。
特許文献２に記載の潤滑油組成物は、動力伝達容量を高め、かつシャダー振動防止性能を向上すべく、潤滑油基油に対して、所定の構造を有するコハク酸ビスイミドを有効量配合した構成が採られている。
【０００３】
【特許文献１】特開平９−１００４８７号公報
【特許文献２】特開平９−２０２８９０号公報
【発明の開示】
【発明が解決しようとする課題】
【０００４】
自動変速機用のクラッチ摩擦特性としては、締結時の伝達トルク容量の指標となる静摩擦係数μｓが高いことだけではなく、変速ショック（シャダー）を防止してスムーズな変速を可能とする指標である「停止直前の摩擦係数と動摩擦係数との比μ０／μｄ」が十分に小さいこと、例えば１．０５以下であることも求められる。一方、市場における自動車は、新車においては、国産、外国産と様々なメーカーの車種があり、そこに使用されているクラッチの材質や機構も様々である。さらに経年劣化の度合いも様々である。
しかしながら、上述した特許文献１や特許文献２などに開示された潤滑油組成物では未だ十分なクラッチ摩擦特性を発揮するに至っていない。
そこで、本発明は、多段変速機や無段変速機のような自動変速機において、クラッチ締結時における高い伝達トルク容量と変速ショック防止性の両立をはかることのできる潤滑油組成物を提供することを目的とする。
【課題を解決するための手段】
【０００５】
前記課題を解決すべく、本発明は、以下のような潤滑油組成物を提供するものである。［１］潤滑油基油に、イミド化合物と、アミド化合物と、脂肪族アミン化合物とを配合した潤滑油組成物であって、前記イミド化合物は、数平均分子量５００〜３０００のアルキル基またはアルケニル基を側鎖に有するコハク酸イミドであり、前記アミド化合物は、炭素数８〜３０の飽和または不飽和の直鎖もしくは分岐脂肪酸と、アルキルアミン、アルカノールアミンおよびこれらの混合物のモノアミン、或いは、分子中に複数のアミノ基を有するポリアミンとを縮合させて得られる脂肪酸アミドであり、前記脂肪族アミン化合物は、オレイルアミン、ステアリルアミン、イソステアリルアミン、混合脂肪酸アミン、および牛脂プロピレンジアミンからなる群から選択される少なくともいずれかであり、前記イミド化合物の配合量が、組成物全量基準かつ窒素換算量で３００〜１０００質量ｐｐｍであり、前記アミド化合物の配合量が、組成物全量基準かつ窒素換算量で３８０〜１３００質量ｐｐｍであり、前記アミン化合物の配合量が、組成物全量基準かつ窒素換算量で３５〜３６０質量ｐｐｍであり、前記イミド化合物、アミド化合物および脂肪族アミン化合物の配合量が、組成物全量基準かつ窒素換算量で１０００〜２０００質量ｐｐｍであることを特徴とする潤滑油組成物。
［２］上述した［１］に記載の潤滑油組成物において、前記イミド化合物がコハク酸イミド化合物であることを特徴とする潤滑油組成物。
［３］上述した［１］または［２］に記載の潤滑油組成物が多段変速機用または無段変速機用であることを特徴とする潤滑油組成物。
［４］上述した［３］に記載の潤滑油組成物であって、前記無段変速機は、金属ベルトを用いたベルト式無段変速機であることを特徴とする無段変速機用潤滑油組成物。
【発明の効果】
【０００６】
本発明の潤滑油組成物によれば、基油に特定の３種の有機窒素化合物（イミド化合物、アミド化合物および脂肪族アミン化合物）を所定量配合しているので、静止摩擦係数（μｓ）が高く、従って伝達トルク容量が高い。さらに多段変速機や無段変速機のような自動変速機用として使用した場合、伝達トルク容量を低下させることなく、変速ショック防止性（シャダー防止性）にも優れる。本発明の潤滑油組成物は、特に、金属ベルトを用いたベルト式無段変速機用として好ましい。
【発明を実施するための最良の形態】
【０００７】
以下に、本発明を実施するための最良の形態について詳述する。
〔潤滑油組成物の構成〕
本発明の潤滑油組成物は、潤滑油基油に、少なくともイミド化合物と、アミド化合物と、脂肪族アミン化合物とが配合されたものである。以下、詳細に説明する。
（潤滑油基油）
潤滑油基油としては、鉱油と合成油とのうちの少なくともいずれか一方、すなわちそれぞれ単独あるいは２種以上を組み合わせて用いたり、鉱油と合成油とを組み合わせて用いてもよい。
これらの鉱油や合成油としては特に制限はないが、一般に変速機の基油として用いられるものであれば適用できる。特に、１００℃における動粘度が１ｍｍ2／ｓ以上５０ｍｍ2／ｓ以下、特に２ｍｍ2／ｓ以上１５ｍｍ2／ｓ以下が好ましい。動粘度が高すぎると低温粘度が悪化し、低すぎると無段変速機のギヤ軸受、クラッチなどの摺動部位における摩耗が増大するおそれがある。このため、好ましくは１００℃における動粘度が１ｍｍ2／ｓ以上５０ｍｍ2／ｓ以下、特に２ｍｍ2／ｓ以上１５ｍｍ2／ｓ以下のものが用いられる。
また、潤滑油基油の低温流動性の指標である流動点については、特に制限されないが、−１０℃以下、特に−１５℃以下が好ましい。
さらに、潤滑油基油としては、特に制限されないが、飽和炭化水素成分が９０質量％以上、硫黄分が０．０３質量％以下、粘度指数が１００以上が好ましい。ここで、飽和炭化水素成分が９０質量％より少なくなると、劣化生成物が多くなるという不都合が生じるおそれがある。また、硫黄分が０．０３質量％より多くなると、劣化生成物が多くなるという不都合が生じるおそれがある。さらに、粘度指数が１００より小さくなると、高温での摩耗が増大するという不都合が生じるおそれがある。このことにより、飽和炭化水素成分が９０質量％以上、硫黄分が０．０３質量％以下、粘度指数が１００以上の鉱油や合成油が好適に用いられる。
【０００８】
そして、鉱油としては、例えばパラフィン基油鉱油、中間基系鉱油、ナフテン基系鉱油などが用いられる。具体的には、溶剤精製あるいは水添精製による軽質ニュートラル油、中質ニュートラル油、重質ニュートラル油、ブライトストックなどが例示できる。
一方、合成油としては、ポリα−オレフィン、α−オレフィンコポリマー、ポリブテン、アルキルベンゼン、ポリオールエステル、二塩基酸エステル、ポリオキシアルキレングリコール、ポリオキシアルキレングリコールエステル、ポリオキシアルキレングリコールエーテル、ヒンダードエステル、シリコーンオイルなどが用いられる。特に、ポリオレフィン、ポリオールエステルが好ましい。
【０００９】
（イミド化合物）
本発明の潤滑油組成物に配合されるイミド化合物としては、μ比が増大し、その結果としてシャダー防止性に優れる点でコハク酸イミドが好ましい。特に、数平均分子量５００〜３０００のアルキル基またはアルケニル基を側鎖に有するコハク酸イミドが好ましい。このようなコハク酸イミドとしては、様々なものがあり、例えば、ポリブテニル基またはポリイソブテニル基を有するコハク酸イミドが挙げられる。ここでいうポリブテニル基とは、１−ブテンとイソブテンの混合物あるいは高純度のイソブテンを重合させたものまたは、ポリイソブテニル基を水添した物として得られる。なお、コハク酸イミドとしては、いわゆるモノタイプのアルケニル若しくはアルキルコハク酸イミド、あるいは、いわゆるビスタイプのアルケニル若しくはアルキルコハク酸イミドのいずれでもよい。
【００１０】
側鎖を有するコハク酸イミドの製造法としては任意の従来の方法を採用することができる。例えば、数平均分子量５００〜３０００程度のポリブテンまたは塩素化ポリブテンと無水マレイン酸とを１００〜２００℃程度で反応させて得られるポリブテニルコハク酸にポリアミンを反応させることでポリブテニルコハク酸イミドを得ることができる。
ポリアミンとしては、例えば、ジエチレントリアミン、トリエチレンテトラミン、テト
ラエチレンペンタミン、ペンタエチレンヘキサミン等が挙げられる。
また、アルケニルまたはアルキルコハク酸イミドとしては、これとアルキルフェノール、硫化アルキルフェノール等の芳香族化合物をマンニッヒ縮合させたアルキルフェノールまたは硫化アルキルフェノール誘導体も好ましく用いられる。このアルキルフェノールのアルキル基は通常炭素数３〜３０のものが使用される。
【００１１】
このような、数平均分子量５００〜３０００のアルキル基またはアルケニル基を側鎖に有したコハク酸イミドにおいては、側鎖の数平均分子量が５００未満であると、基油への分散性が悪化してしまい好ましくない。一方、この側鎖の数平均分子量が３０００を超えると、潤滑油組成物を調製する際のハンドリング性が悪化する。また、組成物の粘度が上がり過ぎて、例えば湿式クラッチに適用した場合に、その摩擦特性が悪化するおそれがある。
【００１２】
前記したコハク酸イミドはホウ素変性して用いることも好ましい。例えば、アルコール類、ヘキサン、キシレンなどの有機溶媒に前記ポリアミンとポリブテニルコハク酸（無水物）とホウ酸などのホウ素化合物を加え、適当な条件で加熱することでホウ素化ボリブテニルコハク酸イミドを得ることができる。なお、ホウ素化合物としては、ホウ酸以外にも、ホウ酸無水物、ハロゲン化ホウ素、ホウ酸エステル、ホウ酸アミド、酸化ホウ素などが挙げられる。中でも、ホウ酸が特に好ましい。
【００１３】
このようなホウ素変性コハク酸イミドは、構造がバルキーなので、組成物に配合すると動摩擦係数を高くすることが可能となり、結果として伝達トルク容量を高くできるので好ましい。
前記したホウ素変性コハク酸イミドを配合する場合は、ホウ素分は、組成物全量基準で５０〜３０００質量ｐｐｍであることが好ましく、さらに好ましくは５０〜２５００質量ｐｐｍである。ホウ素が５０質量ｐｐｍ以上であると、潤滑油組成物としたときの耐熱性が向上する。また、ホウ素分が３０００質量ｐｐｍ以下であると、ホウ素部分の加水分解を抑えることができ、さらに製造コストを抑えることもできるので好ましい。
【００１４】
本発明の潤滑油組成物において、配合されるイミド化合物由来の窒素分は、組成物全量基準で３００〜１０００質量ｐｐｍであることが必要であり、好ましくは４００〜８００質量ｐｐｍである。イミド化合物由来の窒素分が３００質量ｐｐｍ未満であると、潤滑油組成物としたときの伝達トルク容量が不十分なものとなる。また、イミド化合物由来の窒素分が１０００質量ｐｐｍを超えると、潤滑油組成物としたときの変速ショックが大きくなる。また、基油として鉱油を用いた場合に溶解性が悪化する。
【００１５】
（アミド化合物）
本発明の潤滑油組成物に配合されるアミド化合物としては、例えば、脂肪酸とアミン（含アンモニア）とを縮合させて得られる脂肪酸アミドが挙げられる。
ここで、脂肪酸としては、好ましくは炭素数８〜３０の飽和または不飽和の直鎖もしくは分岐脂肪酸が挙げられる。また、脂肪酸としては、一塩基酸でも多塩基酸でもよい。具体的には、カプリル酸、ペラルゴン酸、カプリン酸、ラウリン酸（ラウリル酸）、イソラウリン酸、ミリスチン酸、イソミリスチン酸、ペンタデシル酸、パルミチン酸、パルミトイル酸、マルガリン酸、ステアリン酸、イソステアリン酸、オレイン酸、バクセン酸、リノール酸、マロン酸、コハク酸、およびセバシン酸等が挙げられる。
アミンとしては、アンモニア、モノメチルアミン、モノエチルアミン、モノプロピルアミン、モノブチルアミン、モノペンチルアミン、モノヘキシルアミン、モノヘプチルアミン、モノオクチルアミン、ジメチルアミン、メチルエチルアミン、ジエチルアミン、メチルプロピルアミン、エチルプロピルアミン、ジプロピルアミン、メチルブチルアミン、エチルブチルアミン、プロピルブチルアミン、ジブチルアミン、ジペンチルアミン、ジヘキシルアミン、ジヘプチルアミン、ジオクチルアミン等のアルキルアミン（アルキル基は直鎖状でも分枝状でもよい）、モノメタノールアミン、モノエタノールアミン、モノプロパノールアミン、モノブタノールアミン、モノペンタノールアミン、モノヘキサノールアミン、モノヘプタノールアミン、モノオクタノールアミン、モノノナノールアミン、ジメタノールアミン、メタノールエタノールアミン、ジエタノールアミン、メタノールプロパノールアミン、エタノールプロパノールアミン、ジプロパノールアミン、メタノールブタノールアミン、エタノールブタノールアミン、プロパノールブタノールアミン、ジブタノールアミン、ジペンタノールアミン、ジヘキサノールアミン、ジヘプタノールアミン、ジオクタノールアミン等のアルカノールアミン（アルカノール基は直鎖状でも分枝状でもよい）およびこれらの混合物等が挙げられる。
さらに、アミンとしては、上述したモノアミン以外に、分子中に複数のアミノ基を有するいわゆるポリアミンも好適である。ポリアミンとしては、例えば、ジエチレントリアミン、トリエチレンテトラミン、テトラエチレンペンタミン、ペンタエチレンヘキサミン等が挙げられる。
上述した脂肪酸とアミンとの縮合物であるアミド化合物としては、イソステアリン酸とトリアミン、テトラアミン、ペンタアミン等の各種ポリアミンとの縮合物であるポリアミド、オレイン酸とポリアミンとの縮合物であるポリアミド、あるいは、ラウリン酸とポリアミンとの縮合物であるポリアミドが好適である。
【００１６】
本発明の潤滑油組成物において、配合されるアミド化合物由来の窒素分は、組成物全量基準で３８０〜１３００質量ｐｐｍであることが必要であり、好ましくは５００〜１０００質量ｐｐｍである。アミド化合物由来の窒素分が３８０質量ｐｐｍ未満であると、潤滑油組成物としたときの変速ショック防止性能が不十分なものとなる。また、アミド化合物由来の窒素分が１３００質量ｐｐｍを超えると、潤滑油組成物としたときの伝達トルク容量が不足する。
【００１７】
（脂肪族アミン化合物）
本発明の潤滑油組成物に配合される脂肪族アミン化合物としては、上述したアミド化合物を製造する際に用いられる脂肪族アミン化合物のうち、比較的分子量が高いものが好適に使用できる。具体的には、オレイルアミン、ステアリルアミン、イソステアリルアミン等である。
また、脂肪族アミン化合物は、単体ではなく、混合脂肪酸アミン、牛脂プロピレンジアミンのような形態で使用することも好ましい。
【００１８】
本発明の潤滑油組成物において、配合される脂肪族アミン化合物由来の窒素分は、組成物全量基準で３５〜３６０質量ｐｐｍであることが必要であり、好ましくは１００〜３００質量ｐｐｍである。脂肪族アミン化合物由来の窒素分が３５質量ｐｐｍ未満であると、潤滑油組成物としたときの初期変速ショック防止性能が不十分なものとなる。また、脂肪族アミン化合物由来の窒素分が３６０質量ｐｐｍを超えると、潤滑油組成物としたときの伝達トルク容量が不足するとともに、スラッジの生成など耐久性能が問題となる。
【００１９】
本発明の潤滑油組成物においては、前記したイミド化合物、アミド化合物および脂肪族アミン化合物の配合量が、組成物全量基準かつ窒素換算量で１０００〜２０００質量ｐｐｍであることが好ましく、より好ましくは１１００〜１９００質量ｐｐｍである。
すなわち、これら３成分全体の配合量が上述の範囲内にあると、伝達トルク容量と変速ショック防止性という、一般にトレードオフの関係にある湿式クラッチ性能をより満足させることが可能となる。
【００２０】
（その他の添加剤）
本発明の潤滑油組成物は、本発明の目的、すなわち変速ショックが少なく、高い伝達トルク容量が安定して得られれば、添加剤を適宜配合できる。
添加剤としては、例えば酸化防止剤、金属不活性化剤、消泡剤、粘度指数向上剤、流動点降下剤、界面活性剤、着色剤などが適宜用いられる。
【００２１】
酸化防止剤としては、アミン系酸化防止剤、フェノール系酸化防止剤、あるいは硫黄系酸化防止剤などが挙げられる。
アミン系酸化防止剤としては、モノオクチルジフェニルアミン、モノノニルジフェニルアミン等のモノアルキルジフェニルアミン系、４，４’−ジブチルジフェニルアミン、４，４’−ジペンチルジフェニルアミン、４，４’−ジヘキシルジフェニルアミン、４，４’−ジヘプチルジフェニルアミン、４，４’−ジオクチルジフェニルアミン、４，４’−ジノニルジフェニルアミン等のジアルキルジフェニルアミン系、テトラブチルジフェニルアミン、テトラヘキシルジフェニルアミン、テトラオクチルジフェニルアミン、テトラノニルジフェニルアミン等のポリアルキルジフェニルアミン系、α−ナフチルアミン、フェニル−α−ナフチルアミン、ブチルフェニル−α−ナフチルアミン、ペンチルフェニル−α−ナフチルアミン、ヘキシルフェニル−α−ナフチルアミン、ヘプチルフェニル−α−ナフチルアミン、オクチルフェニル−α−ナフチルアミン、およびノニルフェニル−α−ナフチルアミン等のナフチルアミン系を挙げることができる。特にアルキル基の炭素数が４〜２４、特には６〜１８の化合物が好ましく用いられる。これらの化合物を一種または二種以上を組み合わせて使用してもよい。
【００２２】
フェノール系酸化防止剤としては、2,6−ジ−ｔ−ブチルフェノール、2,6−ジ−ｔ−ブチル−4−メチルフェノール、4,4'−メチレンビス（2,6−ジ−ｔ−ブチルフェノール）、4,4'−ブチリデンビス（3−メチル−6−ｔ−ブチルフェノール）、2,2'−メチレンビス（4−エチル−6−ｔ−ブチルフェノール）、2,2'−メチレンビス（4−メチル−6−ｔ−ブチルフェノール）、4,4'−イソプロピリデンビスフェノール、2,4−ジメチル−6−ｔ−ブチルフェノール、テトラキス［メチレン−3−（3,5−ジ−ｔ−ブチル−4−ヒドロキシフェニル）プロピオネート］メタン、1,1,3−トリス（2−メチル−4−ヒドロキシ−5−ｔ−ブチルフェニル）ブタン、1,3,5−トリメチル−2,4,6−トリス（3,5−ジ−ｔ−ブチル−4−ヒドロキシベンジル）ベンゼン、および2,6−ジ−ｔ−ブチル−4−エチルフェノール等を挙げることができる。
【００２３】
硫黄系酸化防止剤としては、ジアルキルチオジプロピオネート、ジアルキルジチオカルバミン酸誘導体（金属塩は除く）、ビス（３，５−ジ−ｔ−ブチル−４−ヒドロキシベンジル）サルファイド、メルカプトベンゾチアゾール、五硫化リンとオレフィンとの反応生成物、および硫化ジセチル等が挙げられる。
上述した各種の酸化防止剤は、単独もしくは２種以上を組み合わせて用いられる。特に、アミン系やフェノール系、あるいはアルキルジチオリン酸亜鉛などが好ましく用いられる。これらの酸化防止剤は、組成物全量基準で０．０５〜３質量％の割合で配合することが好ましい。
【００２４】
金属不活性化剤としては、例えばベンゾトリアゾール、チアジアゾールなどが、単独もしくは２種以上を組み合わせて用いられる。これら金属不活性化剤は、組成物全量基準で０．０１〜５質量％の割合で配合することが好ましい。
消泡剤としては、例えばシリコーン系化合物、エステル系化合物などが、単独もしくは２種以上を組み合わせて用いられる。これらの消泡剤は、組成物全量基準で、０．０５〜５質量％の割合で配合することが好ましい。
【００２５】
粘度指数向上剤としては、例えばポリメタクリレート、エチレン−プロピレン共重合体などのオレフィン系共重合体、分散型オレフィン系共重合体、スチレン−ジエン水素化共重合体などのスチレン系共重合体が、単独もしくは２種以上を組み合わせて用いられる。これらの粘度指数向上剤は、組成物全量基準で、０．０１〜１０質量％の割合で配合することが好ましい。
流動点降下剤としては、例えばポリメタクリレートなどが用いられる。この流動点降下剤は、組成物全量基準で、０．０１〜１０質量％の割合で配合することが好ましい。
界面活性剤としては、例えばポリオキシエチレンアルキルフェニルエーテルなどが用いられる。この界面活性剤は、組成物全量基準で０．０１〜１０質量％の割合で配合することが好ましい。
【００２６】
上述した本発明の潤滑油組成物は、多段変速機や、チェーンを用いたチェーン式無段変速機、金属ベルトを用いたベルト式無段変速機あるいはトラクションドライブを用いたトラクションドライブ式無段変速機など、各種の自動変速機を対象とすることができる。
【実施例１】
【００２７】
次に、実施例および比較例を挙げて、本発明をさらに詳しく説明する。
なお、本発明は、これらの実施例などの記載内容に何ら制限されるものではない。
【００２８】
〔実施例１〜９、比較例１〜６〕
表１〜２に示す組成の潤滑油組成物を調製し、ＳＡＥＮｏ．２摩擦試験機を用い、下記に示す実験条件にて、ダイナミック時に動的摩擦係数（μｄ）、静止摩擦係数（μｏ）を、スタティック時に静摩擦係数（μｓ）を評価した（ＪＡＳＯＭ３４８−２００２準拠）。具体的には、実機ミッションに使用しているセルロース系クラッチ材料を用いて、面圧：０．２〜０．３Ｎ／ｍｍ2、油温：１００℃、ダイナミック回転数：３０００ｒｐｍ、スタティック回転数：０．７ｒｐｍの条件で評価を行った。
上記の実験条件で、３０００サイクルにおけるμｄ、μｓを測定し、またμ比（μ０／μｄ）を求めた。μｓが０．１より大きいものは、伝達トルク容量が実用上十分高いと言え、μ比が１以下のものは、変速ショック防止性に優れると言える。
【００２９】
結果を表１〜２に示す。なお、使用した各成分は、以下のとおりである。
（１）潤滑油基油：流動点−３０℃、１００℃動粘度３．５ｍｍ2／ｓ、％ＣA０．１質量％以下のパラフィン系基油
【００３０】
（２）添加剤：
（２-１）Ａ成分：イミド化合物
Ａ１：ポリブテニルコハク酸イミド
（ポリブテニル基の分子量Ｍｗ９５０、化合物中の窒素量：１．５質量％）
Ａ２：ホウ素含有ポリブテニルコハク酸イミド
（ポリブテニル基の分子量Ｍｗ２２００、化合物中の窒素量：０．５質量％)
Ａ３：ポリブテニルコハク酸イミド
（ポリブテニル基の分子量Ｍｗ２８０、化合物中の窒素量：５質量％）
【００３１】
（２-２）Ｂ成分：アミド化合物
Ｂ１：イソステアリン酸とテトラエチレンペンタミンとの縮合物であるポリアミド（化合物中の窒素量：５質量％）
Ｂ２：オレイン酸とジエチレンペンタミンとの縮合物であるポリアミド（化合物中の窒素量：３質量％）
Ｂ３：ラウリン酸とヘキサエチレンペンタミンとの縮合物であるポリアミド（化合物中の窒素量：８質量％）
【００３２】
（２-３）Ｃ成分：脂肪族アミン化合物
Ｃ１：オレイルアミン（化合物中の窒素量：５質量％）
Ｃ２：混合脂肪酸アミン（化合物中の窒素量：３質量％）
Ｃ３：牛脂プロピレンジアミン（化合物中の窒素量：８質量％）
【００３３】
（２-４）Ｄ成分：酸化防止剤
Ｄ１：アルキルジフェニルアミン（化合物中の窒素量：４．８質量％）
【００３４】
【表１】
0005280668.tif 000002
【００３５】
【表２】
0005280668.tif 000003
【００３６】
〔評価結果〕
表１の実施例１〜９からわかるように、本発明の潤滑油組成物は、いずれもμｓが０．１以上であり伝達トルク容量が大きく、しかもμ比（μ０／μｄ）が１以下と小さいので変速ショック防止性にも優れている。
一方、表２に示すように、比較例１では、アミド化合物や脂肪族アミン化合物の配合量は十分であるが、イミド化合物の配合量が少ないためμｓが非常に小さく、トルク伝達容量がかなり不足することがわかる。また、比較例２では、脂肪族アミン化合物の配合量は十分であるが、イミド化合物とアミド化合物の配合量がいずれも少ないので、μｓの値がまだ十分ではなく、トルク伝達容量が不足することがわかる。比較例３では、脂肪族アミン化合物が配合されていないので、μ比が大きく、変速ショック防止性能に劣ることがわかる。比較例４では、イミド化合物の配合量が多すぎるため、μｓは大きいものの、μ比が大きく、変速ショック防止性能に非常に劣ることがわかる。比較例５では、イミド化合物の配合量が少なすぎ、アミド化合物の配合量が多すぎるために、μ比は１以下であるが、μｓが０．０９とやや低く、トルク伝達容量が不足することがわかる。比較例６でも、イミド化合物と脂肪族アミン化合物の配合量が多すぎるために、μ比は１以下であるが、μｓが０．０８とやや低く、トルク伝達容量が不足することがわかる。
【産業上の利用可能性】
【００３７】
本発明は、多段変速機や、金属ベルトタイプ、チェーンタイプ、トラクションドライブタイプなどの無段変速機に用いられる自動変速機用潤滑油組成物として利用できる。